(57)【要約】【課題】テレビジョン受像機において、消費電力を削減し、しかも、その削減に伴ってユーザに与え得る違和感の抑制効果の向上を図る。【解決手段】テレビジョン受像機の制御部は、（１）設定キーの操作により消費電力削減量が設定されると、（２）バックライトの輝度を徐々に低下させる。この輝度低下制御中に、（３）選局キーによるチャンネル変更操作が検出されると、輝度低下制御が停止し、（４）当該検出時点での輝度を維持する。その後、所定の待機期間Ｔ２中に、（５）チャンネルが元に戻されると、輝度低下制御が再スタートする。輝度が徐々に低下するので、消費電力を削減でき、しかも、ユーザの目を輝度低下に順応させることができ、従って、ユーザの違和感を抑えることができる。また、チャンネル変更期間が待機期間よりも短ければ輝度は維持されるので、チャンネル変更時と復帰時とに輝度の差が生じず、違和感の抑制効果の向上を図ることができる。【選択図】図２
2011114608.tif 000002
【特許請求の範囲】
【請求項１】
テレビジョン放送信号のチャンネルを選局するチューナと、
前記チューナにより選局されたチャンネルの番組を表示する表示手段と、
前記チューナにより選局されたチャンネルのテレビジョン放送信号からＥＰＧ情報を取得するＥＰＧ取得手段と、を備えたテレビジョン受像機において、
前記表示手段の消費電力削減量を設定するための設定手段と、
前記設定手段による消費電力削減量の設定時に前記表示手段により表示されている番組の放送終了時刻を、前記ＥＰＧ取得手段により取得されたＥＰＧ情報から取得する終了時刻取得手段と、
前記設定手段による消費電力削減量の設定時刻から、前記終了時刻取得手段により取得された番組の放送終了時刻までの残り時間を算出する残り時間算出手段と、
前記残り時間算出手段により算出された残り時間と、前記設定手段により設定された消費電力削減量とに基づき、前記番組の放送終了時刻の前記表示手段の画面輝度を算出する輝度算出手段と、
前記輝度算出手段により算出された画面輝度へ向けて、前記残り時間に、前記表示手段の画面輝度を徐々に低下させる輝度制御手段と、
前記チューナを操作するための操作手段と、を備え、
前記輝度制御手段は、前記残り時間に前記操作手段によるチャンネル変更操作を検出したとき、前記表示手段の画面輝度の低下制御を停止して該検出時点での画面輝度を維持し、その後の所定の待機期間中にチャンネルが元に戻されたとき、該画面輝度の低下制御を再スタートさせることを特徴とするテレビジョン受像機。
【請求項２】
前記輝度制御手段は、前記待機期間中にチャンネルが元に戻されなかったとき、前記表示手段の画面輝度を所定値まで徐々に増加させ、その後、該画面輝度を徐々に低下させることを特徴とする請求項１に記載のテレビジョン受像機。
【請求項３】
前記輝度制御手段は、前記番組の放送が終了し、次の番組の放送が開始したとき、前記表示手段の画面輝度を所定値まで徐々に増加させ、その後、該画面輝度を徐々に低下させることを特徴とする請求項１又は請求項２に記載のテレビジョン受像機。
【発明の詳細な説明】
【技術分野】
【０００１】
本発明は、テレビジョン放送信号を受信して番組を表示するテレビジョン受像機に関する。
【背景技術】
【０００２】
従来から、番組を表示するディスプレイを有し、そのディスプレイの輝度を、ユーザに違和感を与えないように徐々に低下させ、消費電力の削減を図るテレビジョン受像機（以下、受像機という）が知られている（例えば、特許文献１参照）。
【０００３】
ところで、ユーザは任意のチャンネルの番組を視聴しているときに、他のチャンネルの番組内容を確認するためリモコン装置等を用いてチャンネルを変更し、確認後、元に戻すことがある。しかしながら、上記従来の受像機においては、ディスプレイの輝度が下がり続け、従って、チャンネル変更時の輝度と、チャンネルを変更した後に元に戻した時の輝度との間に差が生じることがある。このため、ユーザに違和感を与える虞がある。
【０００４】
上記の他に、消費電力の低減を図った受像機としては、ディスプレイにおける映像表示サイズを番組のジャンルに応じて変更する受像機（例えば、特許文献２参照）と、ユーザが視聴予約した番組以外の番組を表示するときにディスプレイの輝度を通常値よりも下げる受像機（例えば、特許文献３参照）とが知られている。また、消費電力の低減を図る受像機ではないが、ユーザが視聴予約した番組の番組情報から合計視聴時間で消費される電力量を算出し、その消費電力量が電池残量よりも少ないときに警告を発する受像機（例えば、特許文献４参照）と、番組のジャンル毎に設定されたユーザ所望の画質データに基づいてディスプレイの画質設定を変更する受像機（例えば、特許文献５参照）とが知られている。しかしながら、これら特許文献２〜５に記載の受像機では、上記の問題を解決することは困難である。
【先行技術文献】
【特許文献】
【０００５】
【特許文献１】特開２００５−２３６５２０号公報
【特許文献２】特開２００６−２６１７８５号公報
【特許文献３】特開２００５−２１０７０６号公報
【特許文献４】国際公開第２００６／１２９４４３号
【特許文献５】特開２００８−０２８８７１号公報
【発明の概要】
【発明が解決しようとする課題】
【０００６】
本発明は、上記の従来の問題を解決するためになされたものであり、消費電力を削減することができ、しかも、その削減に伴ってユーザに与え得る違和感の抑制効果の向上を図ることができるテレビジョン受像機を提供することを目的とする。
【課題を解決するための手段】
【０００７】
上記目的を達成するために請求項１の発明は、テレビジョン放送信号のチャンネルを選局するチューナと、前記チューナにより選局されたチャンネルの番組を表示する表示手段と、前記チューナにより選局されたチャンネルのテレビジョン放送信号からＥＰＧ情報を取得するＥＰＧ取得手段と、を備えたテレビジョン受像機において、前記表示手段の消費電力削減量を設定するための設定手段と、前記設定手段による消費電力削減量の設定時に前記表示手段により表示されている番組の放送終了時刻を、前記ＥＰＧ取得手段により取得されたＥＰＧ情報から取得する終了時刻取得手段と、前記設定手段による消費電力削減量の設定時刻から、前記終了時刻取得手段により取得された番組の放送終了時刻までの残り時間を算出する残り時間算出手段と、前記残り時間算出手段により算出された残り時間と、前記設定手段により設定された消費電力削減量とに基づき、前記番組の放送終了時刻の前記表示手段の画面輝度を算出する輝度算出手段と、前記輝度算出手段により算出された画面輝度へ向けて、前記残り時間に、前記表示手段の画面輝度を徐々に低下させる輝度制御手段と、前記チューナを操作するための操作手段と、を備え、前記輝度制御手段は、前記残り時間に前記操作手段によるチャンネル変更操作を検出したとき、前記表示手段の画面輝度の低下制御を停止して該検出時点での画面輝度を維持し、その後の所定の待機期間中にチャンネルが元に戻されたとき、該画面輝度の低下制御を再スタートさせるものである。
【０００８】
請求項２の発明は、請求項１に記載のテレビジョン受像機において、前記輝度制御手段は、前記待機期間中にチャンネルが元に戻されなかったとき、前記表示手段の画面輝度を所定値まで徐々に増加させ、その後、該画面輝度を徐々に低下させるものである。
【０００９】
請求項３の発明は、請求項１又は請求項２に記載のテレビジョン受像機において、前記輝度制御手段は、前記番組の放送が終了し、次の番組の放送が開始したとき、前記表示手段の画面輝度を所定値まで徐々に増加させ、その後、該画面輝度を徐々に低下させるものである。
【発明の効果】
【００１０】
請求項１の発明によれば、表示手段の画面輝度が徐々に低下するので、消費電力を削減することができ、しかも、ユーザの目を輝度低下に順応させることができ、従って、ユーザに与え得る違和感を抑えることができる。
また、任意のチャンネルの番組の表示中に、ユーザが例えば他のチャンネルの番組の内容を確認するためチャンネルを変更し、その後、元に戻したとしても、チャンネル変更期間が所定の待機期間よりも短ければ、画面輝度は維持されるので、チャンネル変更時と復帰時とに画面輝度の差が生じず、ユーザに与え得る違和感の抑制効果の向上を図ることができる。
さらに、消費電力削減量が設定されると、設定時に表示中の番組の放送終了時刻までの残り時間と、設定された消費電力削減量とに応じて輝度の低下具合が調整され、ユーザは多くの場合、その番組を最後まで見るであろうから、設定された消費電力削減量を通常時の消費電力から確実に削減することができる。
【００１１】
請求項２の発明によれば、待機期間経過後もチャンネルが変更されたままであるときには画面輝度が一旦増加し、その後、再び低下するので、輝度の下がり過ぎを防ぐことができ、輝度の下がり過ぎに起因する違和感を防ぐことができる。また、画面輝度は徐々に増加するので、輝度増加に起因する違和感を抑えることができる。
【００１２】
請求項３の発明によれば、番組が替わると画面輝度が一旦増加し、その後、再び低下するので、輝度の下がり過ぎを防ぐことができ、輝度の下がり過ぎに起因する違和感を防ぐことができる。また、画面輝度は徐々に増加するので、輝度増加に起因する違和感を抑えることができる。
【図面の簡単な説明】
【００１３】
【図１】本発明の一実施形態に係るテレビジョン受像機の電気的ブロック図。
【図２】上記テレビジョン受像機の制御部により制御されるバックライトの輝度の経時変化を示す図。
【発明を実施するための形態】
【００１４】
以下、本発明の一実施形態に係るテレビジョン受像機（以下、受像機という）について図面を参照して説明する。図１は、本実施形態の受像機の構成を示す。この受像機１は、アンテナ２を介してデジタルテレビジョン放送信号（以下、放送信号という）を受信し、放送信号のチャンネルを選局するチューナ３と、チューナ３により選局されたチャンネルの放送信号を復調する復調部４と、復調部４により復調された放送信号を映像信号、音声信号及びデータ信号に分離する分離部５と、分離部５により分離された映像信号、音声信号、データ信号をそれぞれデコードする映像デコード部６と、音声デコード部７と、データデコード部８とを備える。
【００１５】
また、受像機１は、映像デコード部６によりデコードされた映像信号を出力する映像出力部９と、音声デコード部７によりデコードされた音声信号を出力するスピーカを備えた音声出力部１０と、上記各部を制御するＣＰＵ等の制御部１１と、制御部１１の動作に必要な情報を記憶するメモリ１２と、制御部１１に各種の指令を赤外線信号でもって遠隔的に入力可能なリモコン装置１３と、リモコン装置１３から入力された赤外線信号を受信し電気信号に変換して制御部１１に出力する赤外線受信部１４と、時間を計数するタイマ１５とを備える。制御部１１は、請求項におけるＥＰＧ取得手段、終了時刻取得手段、残り時間算出手段及び輝度算出手段に相当する。リモコン装置１３は、チューナ３を操作して所望のチャンネルを選局するための選局キー１３ａ（操作手段）と、映像出力部９の消費電力削減量を設定するための設定キー１３ｂ（設定手段）と、設定キー１３ｂによる設定を解除するための解除キー１３ｃとを有する。
【００１６】
放送信号は、テレビジョン番組（以下、番組という）の映像信号及び音声信号と、当該番組の番組情報であるＳＩ（Service Information）データを含むデータ信号とを有し、これらがＴＳ（Transport Stream）形式で多重化されている。ＳＩデータは、番組の放送開始時刻情報及び放送終了時刻情報を含むＥＰＧ情報を有し、各チャンネル毎に独自に作成されて配信されている。
【００１７】
チューナ３は、受信周波数を、ユーザが選局する物理チャンネルに対応した周波数に同調させることにより、そのチャンネルの放送信号を選局する。
【００１８】
分離部５は、復調部４により復調された放送信号に対して誤り訂正処理を行い、その訂正処理を行った放送信号から映像信号、音声信号及びデータ信号のＴＳパケットをそれぞれ抽出する。映像デコード部６、音声デコード部７及びデータデコード部８は、それら抽出された映像信号、音声信号及びデータ信号のＴＳパケットをそれぞれデコードする。データデコード部８は、デコードしたデータ信号を制御部１１に送出する。
【００１９】
映像出力部９は、ディスプレイ９１及びバックライト９２と、それらの制御回路９３とを有する。ディスプレイ９１は、映像信号に基づいて番組を表示する表示画面を備えた液晶ディスプレイ等により構成される。バックライト９２は、ディスプレイ９１にその背面方向から光を照射する。制御回路９３は、ディスプレイ９１の映像表示制御と、ディスプレイ９１の画面輝度制御、すなわち、バックライト９２の輝度制御とを行う。ディスプレイ９１及びバックライト９２は請求項における表示手段に相当し、制御回路９３及び制御部１１は請求項における輝度制御手段に相当する。
【００２０】
制御部１１は、データデコード部８により送出されたデータ信号からＳＩデータを抽出し、そのＳＩデータからＥＰＧ情報を取得して、メモリ１２に格納する。制御部１１は、設定キー１３ｂの操作により消費電力削減量が設定されたとき、上述の格納したＥＰＧ情報をメモリ１２から読み出し、その設定時に表示されている番組の放送終了時刻をそのＥＰＧ情報から取得する。そして、制御部１１は、その放送終了時刻まで、上記消費電力削減量に応じてバックライト９２の輝度を徐々に低下させる。この輝度制御は制御部１１が制御回路９３を駆動制御し、かつ、タイマ１５により時刻を計時して行う。
【００２１】
選局キー１３ａは、複数のチャンネルにそれぞれ対応する複数のチャンネルキー、又はチャンネルを昇順若しくは降順に選局するためのチャンネルアップキー及びチャンネルダウンキー等により構成される。設定キー１３ｂは、予め定められた１又は複数の消費電力削減量に対応する１又は複数のキーである。消費電力削減量は、設定キー１３ｂによる設定時刻又は番組の放送開始時刻からその番組の放送終了時刻までにバックライト９２により通常消費される総電力からの削減量である。
【００２２】
次に、制御部１１によるバックライト９２の輝度制御処理について図２を参照して詳述する。（１）設定キー１３ｂによりバックライト９２の消費電力削減量が設定されると、その設定時にバックライト９２に表示されている番組Ｐ１の放送終了時刻がＥＰＧ情報から取得される。そして、上記設定時刻から放送終了時刻までの残り時間Ｔ１が算出される。この残り時間Ｔ１は放送終了時刻から設定時刻を減じて演算される。
【００２３】
そして、残り時間Ｔ１と、上記の設定された消費電力削減量とに基づき、番組Ｐ１の放送終了時刻におけるバックライト９２の輝度が算出される。バックライト９２の輝度は、通常時の所定の輝度（以下、通常輝度という）Ｂ１から、一次関数として低下するので、残り時間Ｔ１及び上記消費電力削減量を用いて低下の傾きを求めることができ、その求められた傾きから放送終了時刻の輝度が算出される。輝度の低下関数はメモリ１２に予め格納されており、放送終了時刻の輝度を算出する際に参照される。（２）放送終了時刻の輝度算出後、その放送終了時刻までの残り時間Ｔ１の間、バックライト９２の輝度は、通常輝度Ｂ１から、上記の算出した輝度へ向けて徐々に低下する。
【００２４】
（３）残り時間Ｔ１中に、選局キー１３ａによるチャンネル変更操作が検出されたとき、（４）バックライト９２の輝度の低下制御は停止し、その検出時点での輝度が略一定に維持され、タイマ１５が所定の待機期間Ｔ２の計時を開始する。（５）その待機期間Ｔ２中に選局キー１３ａが再操作されてチャンネルが元に戻されたとき、（６）輝度の低下制御は再スタートする。このとき、輝度が一時的に略一定であったことを踏まえ、上記の設定された削減量だけ消費電力を低減するために低下の傾きを再設定してもよいし、そうせずに、輝度の低下の傾きの設定をそのままにしてもよい。
【００２５】
（７）番組Ｐ１の放送が終了し、番組が切り替わり、次の番組Ｐ２の放送が開始されたときには、（８）バックライト９２の輝度が、通常輝度Ｂ１よりも低い輝度Ｂ２に到達するまで徐々に増加する。輝度Ｂ２までの到達期間は予め設定されていても、又は番組Ｐ２の放送開始時刻から放送終了時刻までの期間に応じて算出されてもよい。輝度Ｂ２は番組が替わる度に徐々に低くなるように設定されている。ここに、番組Ｐ２の放送開始時刻から輝度Ｂ２到達時刻までの期間の消費電力低減量が算出される。（９）バックライト９２の輝度は輝度Ｂ２に到達した後、（１０）再び徐々に低下する。この低下の傾きと、番組Ｐ２の放送終了時刻の輝度とは、上記の算出した消費電力低減量を、上記の設定された消費電力削減量から減じて得られる残りの削減目標量を基に算出される。
【００２６】
（１１）上記の待機期間Ｔ２中にチャンネルが元に戻されなかったとき（このときの輝度変化を破線で示す）、表示している番組が別のチャンネルの番組に切り替わったと判断され、待機期間経過後、（１２）バックライト９２の輝度が、通常輝度Ｂ１よりも低い輝度Ｂ３に到達するまで徐々に増加する。この輝度Ｂ３までの到達期間は、予め設定されていてもよいし、待機期間終了時刻から番組の放送終了時刻までの期間に応じて算出されてもよい。輝度Ｂ３は番組が替わる度に徐々に低くなるように設定されている。（１３）バックライト９２の輝度は輝度Ｂ３に到達した後、（１４）再び徐々に低下する。この低下の傾きと、放送終了時刻の輝度とは、上記のように番組が終了して次の番組が開始されたときと同様の方法により算出される。
【００２７】
設定キー１３ｂの操作後、解除キー１３ｃが操作されずに電源がオフされたときには、消費電力削減量の設定がメモリ１２に保存され、その後、電源がオンされたときには自動的に上記の輝度制御処理が実行されることが望ましい。
【００２８】
上記のように構成された受像機１においては、バックライト９２の輝度が徐々に低下するので、消費電力を削減することができ、しかも、ユーザの目を輝度低下に順応させることができ、従って、ユーザに与え得る違和感を抑えることができる。
【００２９】
また、設定キー１３ｂにより消費電力削減量が設定されると、その設定時に表示中の番組Ｐ１の放送終了時刻までの残り時間Ｔ１と、設定された消費電力削減量とに応じて輝度の低下具合が調整され、ユーザは多くの場合、その番組Ｐ１を最後まで見るであろうから、設定された消費電力削減量を通常時の消費電力から確実に削減することができる。
【００３０】
また、任意のチャンネルの番組Ｐ１の表示中に、ユーザが例えば他のチャンネルの番組の内容を確認するためチャンネルを変更し、その後、元に戻したとしても、チャンネル変更期間が待機期間Ｔ２よりも短ければ、バックライト９２の輝度は維持されるので、チャンネル変更時と復帰時とに輝度の差が生じない。従って、ユーザに与え得る違和感の抑制効果の向上を図ることができる。
【００３１】
また、待機期間Ｔ２が経過した後もチャンネルが変更されたままであるときにはバックライト９２の輝度が輝度Ｂ２にまで一旦増加し、その後、再び低下するので、輝度の下がり過ぎを防ぐことができ、輝度の下がり過ぎに起因する違和感を防ぐことができる。また、輝度は徐々に増加するので、輝度増加に起因する違和感を抑えることができる。また、輝度Ｂ２は通常輝度Ｂ１よりも低いので、下がった輝度を輝度Ｂ２にまで増加させるときの増加幅を小さくすることができ、従って、ユーザに違和感を与えずに済む。
【００３２】
また、番組が替わるとバックライト９２の輝度が輝度Ｂ３にまで一旦増加し、その後、再び低下するので、輝度の下がり過ぎを防ぐことができ、輝度の下がり過ぎに起因する違和感を防ぐことができる。また、輝度は徐々に増加するので、輝度増加に起因する違和感を抑えることができる。また、輝度Ｂ３は通常輝度Ｂ１よりも低いので、下がった輝度を輝度Ｂ３にまで増加させるときの増加幅を小さくすることができ、従って、ユーザに違和感を与えずに済む。
【００３３】
なお、本発明は、上記の実施形態の構成に限定されるものでなく、使用目的に応じ、様々な変形が可能である。例えば、選局キー１３ａ、設定キー１３ｂ、解除キー１３ｃが受像機１の本体に配設されていても構わない。また、ディスプレイ９１及びバックライト９２の代わりとしてプラズマディスプレイ又は有機ＥＬディスプレイが用いられてもよい。
【００３４】
また、番組切替時にバックライト９２の輝度を上昇させる際、通常輝度まで戻し、その後、再び徐々に低下させてもよい。
【００３５】
また、映像信号を出力する映像再生機器を接続可能に構成されていてもよい。この場合においては、映像再生機器から入力される映像信号を基にディスプレイ９１が映像を表示し、バックライト９２の輝度は、例えば２時間又は４時間等の特定時間の経過毎に通常輝度から低下し、その後、上昇する。この低下と上昇が繰り返される。また、放送信号を受信してリアルタイムで番組を表示するテレビジョンモードと、映像再生機器からの映像信号を再生するビデオモードとを切り替えるためのモードキーが設けられていてもよい。この場合、モードキーの操作に基づき、制御部１１によるバックライト９２の輝度制御処理内容が切り替わることが望ましい。具体的には、テレビジョンモードでは上記実施形態の輝度制御が行われ、ビデオモードでは上述の特定時間毎の輝度制御が行われることが望ましい。
【符号の説明】
【００３６】
１  テレビジョン受像機
３  チューナ
９１  ディスプレイ（表示手段を構成）
９２  バックライト（表示手段を構成）
９３  制御回路（輝度制御手段を構成）
１１  制御部（輝度制御手段を構成、ＥＰＧ取得手段、終了時刻取得手段、残り時間算出手段、輝度算出手段）
１３ａ  選局キー（操作手段）
１３ｂ  設定キー（設定手段）
Ｔ１  残り時間
Ｔ２  待機時間
【図１】
2011114608.tif 000003
【図２】
2011114608.tif 000004